(57)【要約】【課題】一のキャビネット分体により形成される額縁部を狭幅にすることができ、キャビネットを小形化できるとともに、キャビネットを備える表示装置、テレビ受像装置を小形化できるようにする。【解決手段】一側に表示面１ａを有する表示部１の周縁部一側を覆い、枠形をなす一のキャビネット分体２と、表示部１の他側を覆う他のキャビネット分体３と、キャビネット分体２，３の周縁に沿う方向に長く、キャビネット分体２，３の周縁部に嵌合されて該キャビネット分体２，３を連結する断面略コ字形をなす連結体４とを備え、結合用の筒形ボスをなくして額縁部を狭幅にすることができ、キャビネットを小形化できるようにした。【選択図】図５
2012080461.tif 000002
【特許請求の範囲】
【請求項１】
枠形をなす一のキャビネット分体及び他のキャビネット分体を備えるキャビネットにおいて、前記キャビネット分体夫々の周縁に沿う方向に長く、該キャビネット分体夫々の周縁部に嵌合されて前記キャビネット分体夫々を連結する連結体を備えることを特徴とするキャビネット。
【請求項２】
一側に表示面を有する表示部の周縁部一側を覆い、枠形をなす一のキャビネット分体及び前記表示部の他側を覆う他のキャビネット分体を備えるキャビネットにおいて、前記キャビネット分体夫々の周縁に沿う方向に長く、該キャビネット分体夫々の周縁部に嵌合されて前記キャビネット分体夫々を連結する連結体を備えることを特徴とするキャビネット。
【請求項３】
前記キャビネット分体夫々の周縁部及び連結体の一方は係止部を有し、他方は該係止部に係止される被係止部を有する請求項１又は２記載のキャビネット。
【請求項４】
前記係止部は前記キャビネット分体夫々の周方向に長い溝形をなし、前記被係止部は凸条形をなしている請求項３記載のキャビネット。
【請求項５】
前記連結体は、前記キャビネット分体の周縁と対向する基部及び該基部に連なり、前記キャビネット分体夫々の外側面に対向する二つの連結部を有し、断面略コ字形をなしている請求項１から４のいずれか一つに記載のキャビネット。
【請求項６】
前記キャビネット分体夫々の周縁は略矩形をなし、前記連結体は前記キャビネット分体の隣合う二辺の和よりも長く、少なくとも前記キャビネット分体夫々の角部と対向する箇所に可撓部を有する請求項１から５のいずれか一つに記載のキャビネット。
【請求項７】
前記連結体は、前記連結部夫々に前記係止部又は被係止部を配してある請求項５記載のキャビネット。
【請求項８】
前記キャビネット分体の少なくとも一方の内面には両面テープを貼着してある請求項１から７のいずれか一つに記載のキャビネット。
【請求項９】
前記他のキャビネット分体は、前記係止部又は被係止部よりも中央側で、周方向に離隔した位置に孔が開設されている請求項３記載のキャビネット。
【請求項１０】
前記キャビネット分体夫々の少なくとも一方の内面には、前記表示部の周縁に当接して該表示部に対する位置を決めるための位置決め凸部を有する請求項２から９のいずれか一つに記載のキャビネット。
【請求項１１】
前記連結体は、前記連結部夫々の間に配され、前記キャビネット分体の少なくとも一方の内面に対向して前記キャビネット分体の内方への偏倚を規制するための規制部を有する請求項５記載のキャビネット。
【請求項１２】
前記キャビネット分体夫々の周縁は略矩形をなし、前記連結体は、前記キャビネット分体の少なくとも三辺と対向する位置に配される杆部材及び前記キャビネット分体夫々の角部と対向する位置に配される角部材を有する請求項１から４のいずれか一つに記載のキャビネット。
【請求項１３】
前記キャビネット分体夫々は、先端が突き合わされるように内方へ延出され、前記係止部が設けられている周壁部を有し、前記連結体は、前記周壁部夫々に嵌合され、前記杆部材における長さ方向と直交する断面形状が略Ｃ字形をなしている請求項１２記載のキャビネット。
【請求項１４】
一側に表示面を有する表示部及び請求項１から１３のいずれか一つに記載のキャビネットを備えることを特徴とする表示装置。
【請求項１５】
前記キャビネット分体夫々の周縁部は、前記連結体により前記表示部の一側及び他側に夫々接合してある請求項１４記載の表示装置。
【請求項１６】
前記他のキャビネット分体は、前記係止部又は被係止部よりも中央側で、周方向に離隔した位置に孔が開設され、該孔に嵌入される取付軸体により前記他のキャビネット分体が前記表示部の他側に取付けてある請求項１４又は１５記載の表示装置。
【請求項１７】
テレビ放送信号を受信する受信部を備え、該受信部がテレビ放送信号を受信して前記表示面にテレビ画像を表示する請求項１４から１６のいずれか一つに記載の表示装置を含むことを特徴とするテレビ受像装置。
【発明の詳細な説明】
【技術分野】
【０００１】
本発明は液晶のテレビ受像装置を含む表示装置が備える表示部などの適宜の機器を収容するキャビネット、該キャビネットを備える表示装置、該表示装置を含むテレビ受像装置に関する。
【背景技術】
【０００２】
液晶のテレビ受像装置等の薄型と称される表示装置は、画像を表示する表示面を表側に有し略直方体をなす表示パネル及び該表示パネルの裏側に配され、表示パネルに光を照射するバックライト光源部を有する表示部と、該表示部の周縁部を覆い、額縁部を有する枠形の一のキャビネット分体と、前記表示部の裏側を覆い、皿形をなす他のキャビネット分体とを備える（例えば、特許文献１参照）。一のキャビネット分体の周縁側部分には、表示部の周縁よりも外方側に配される複数の筒形ボス、及び複数の係止爪が突設され、該係止爪にて一のキャビネット分体が表示部に仮止めされ、前記筒形ボス内に螺止される雄螺子により二つのキャビネット分体が連結されている。
【０００３】
図１８、図１９は従来の表示装置の表示部及びキャビネットの関係を示す一部を省略した断面図である。図１８に示す表示装置は、一のキャビネット分体１００の周縁側部分に複数の筒形ボス１０１が突設され、該筒形ボス１０１に対向する結合片１０２が表示部１０３の周縁から突設され、他のキャビネット分体１０４の表示部他面と対向する箇所に錐形ボス１０５が突設されており、筒形ボス１０１内に螺止される雄螺子１０６により一のキャビネット分体１００及び表示部１０３が結合され、錐形ボス１０５に挿入される雄螺子１０７により他のキャビネット分体１０４及び表示部１０３が結合されている。
【０００４】
図１９に示す表示装置は、二つのキャビネット分体１００，１０４の周縁側部分に、表示部１０３の周縁よりも外方側に配される複数の筒形ボス１０８，１０９が突設され、該筒形ボス１０８，１０９に対向する結合板部１１０を有する結合板１１１が表示部１０３に螺子止めされており、キャビネット分体１００の筒形ボス１０８内に螺止される雄螺子１１２によりキャビネット分体１００，１０４及び表示部１０３が結合されている。
【先行技術文献】
【特許文献】
【０００５】
【特許文献１】特開２００６−３３７９７６号公報
【発明の概要】
【発明が解決しようとする課題】
【０００６】
ところが、特許文献１及び図１８、図１９のように構成された従来の表示装置が備えるキャビネットは、表示部の周縁よりも外方側にキャビネット結合用の筒形ボスが設けられているため、表示部に対するキャビネットの大きさ、換言するとキャビネットにて形成される額縁部の狭幅化が制限され、狭額縁の表示装置が要望されていた。また、額縁部を形成するキャビネット分体に筒形ボスが設けられているため、合成樹脂にてキャビネット分体が成形される際に前記筒形ボスの元部に発生するヒケが表示面側に現れ、表示装置の品位が低下することになるし、また、キャビネット成形用型が複雑となり、キャビネットのコスト、ひいては表示装置のコストが高くなるという問題があった。また、図１９に示すように特別の結合板を備える表示装置にあっては、部品点数が増加し、組立て作業性が低下するとともにコスト高になるという問題があった。
【０００７】
本発明は斯かる事情に鑑みてなされたものであり、主たる目的は一のキャビネット分体により形成される額縁部を狭幅にすることができ、キャビネットを小形化できるとともに、キャビネットを備える表示装置、テレビ受像装置を小形化できるようにする点にある。
【課題を解決するための手段】
【０００８】
本発明に係るキャビネットは、枠形をなす一のキャビネット分体及び他のキャビネット分体を備えるキャビネットにおいて、前記キャビネット分体夫々の周縁に沿う方向に長く、該キャビネット分体夫々の周縁部に嵌合されて前記キャビネット分体夫々を連結する連結体を備えることを特徴とする。
【０００９】
この発明にあっては、キャビネット分体夫々の周縁に沿う方向に長く、該キャビネット分体夫々の周縁部に嵌合される連結体にてキャビネット分体夫々が連結されているため、一のキャビネット分体により形成される額縁部を狭幅にすることができ、キャビネットを小形化できるとともに、キャビネットを備える表示装置を小形化できる。また、結合用のボスをキャビネットに設けなくともよいので、キャビネットの品位を高めることができるとともに、成形されるキャビネットのコストを低減できる。
【００１０】
本発明に係るキャビネットは、一側に表示面を有する表示部の周縁部一側を覆い、枠形をなす一のキャビネット分体及び前記表示部の他側を覆う他のキャビネット分体を備えるキャビネットにおいて、前記キャビネット分体夫々の周縁に沿う方向に長く、該キャビネット分体夫々の周縁部に嵌合されて、前記キャビネット分体夫々を連結する連結体を備えることを特徴とする。
【００１１】
この発明にあっては、キャビネット分体夫々の周縁に沿う方向に長く、該キャビネット分体夫々の周縁部に嵌合される連結体にてキャビネット分体夫々が連結されているため、一のキャビネット分体により形成される額縁部を狭幅にすることができ、キャビネットを小形化できるとともに、キャビネットを備える表示装置を小形化できる。また、結合用のボスをキャビネットに設けなくともよいので、キャビネットの品位を高めることができるとともに、成形されるキャビネットのコストを低減できる。
【００１２】
また、本発明に係るキャビネットは、前記キャビネット分体夫々の周縁部及び連結体の一方は係止部を有し、他方は該係止部に係止される被係止部を有する構成とするのが好ましい。
この発明にあっては、キャビネット分体夫々の周縁部に嵌合される連結体の係止部又は被係止部を、キャビネット分体夫々の被係止部又は係止部に係止させる作業によりキャビネット分体の周縁部を連結することができるため、組立て作業性を高めることができ、より一層のコスト低減を図ることができる。
【００１３】
また、本発明に係るキャビネットは、前記係止部は前記キャビネット分体夫々の周方向に長い溝形をなし、前記被係止部は凸条形をなしている構成とするのが好ましい。
この発明にあっては、連結体の嵌合箇所を連結体の長さ方向にずらせることにより被係止部を係止部に係止させることができるため、係止部分の長さを長くして連結強度を高めることができるとともに、組立て作業性を高めることができ、より一層のコスト低減を図ることができる。
【００１４】
また、本発明に係るキャビネットは、前記連結体は、前記キャビネット分体の周縁と対向する基部及び該基部に連なり、前記キャビネット分体夫々の外側面に対向する二つの連結部を有し、断面略コ字形をなしている構成とするのが好ましい。
この発明にあっては、キャビネット分体の周縁部に連結体が嵌合されることにより、連結体の二つの連結部にてキャビネット分体の間に、キャビネット内に収容される表示部などの機器を挾着することができるため、キャビネット分体夫々と表示部などの機器とを簡易に一体化することができ、表示装置などの組立て作業性を高めることができる。
【００１５】
また、本発明に係るキャビネットは、前記キャビネット分体夫々の周縁は略矩形をなし、前記連結体は前記キャビネット分体の隣合う二辺の和よりも長く、少なくとも前記キャビネット分体夫々の角部と対向する箇所に可撓部を有する構成とするのが好ましい。
この発明にあっては、キャビネット分体夫々の周縁部を一つの連結体にて連結することができるため、組立て作業性をより一層高めることができ、より一層のコスト低減を図ることができる。
【００１６】
また、本発明に係るキャビネットは、前記連結体は、前記連結部夫々に前記係止部又は被係止部を配してある構成とするのが好ましい。
この発明にあっては、キャビネット分体夫々の周縁外方へ連結体が移動するのを係止部及び被係止部にて阻止することができ、連結体の嵌合状態を維持することができるため、連結体によるキャビネット分体の連結状態を維持することができる。
【００１７】
また、本発明に係るキャビネットは、前記キャビネット分体の少なくとも一方の内面には両面テープを貼着してある構成とするのが好ましい。
この発明にあっては、表示部などの機器に対するキャビネット分体の位置ずれを両面テープにて防ぐことができ、位置ずれしない状態でキャビネット分体を連結体にて連結することができるため、組立て作業性をより一層高めることができ、より一層のコスト低減を図ることができる。
【００１８】
また、本発明に係るキャビネットは、前記他のキャビネット分体は、前記係止部又は被係止部よりも中央側で、周方向に離隔した位置に孔が開設されている構成とするのが好ましい。
この発明にあっては、孔に嵌入される取付軸体にて他のキャビネット分体が表示部などの機器に固定された状態で、連結体にて一のキャビネット分体を連結することができるため、組立て作業性をより一層高めることができ、より一層のコスト低減を図ることができる。
【００１９】
また、本発明に係るキャビネットは、前記キャビネット分体夫々の少なくとも一方の内面には、前記表示部の周縁に当接して該表示部に対する位置を決めるための位置決め凸部を有する構成とするのが好ましい。
この発明にあっては、キャビネット分体の表示部に対する位置を、位置決め凸部にて決めることができ、位置決めされた状態でキャビネット分体を連結体にて連結することができるため、組立て作業性をより一層高めることができ、より一層のコスト低減を図ることができる。
【００２０】
また、本発明に係るキャビネットは、前記連結体は、前記連結部夫々の間に配され、前記キャビネット分体の少なくとも一方の内面に対向して前記キャビネット分体の内方への偏倚を規制するための規制部を有する構成とするのが好ましい。
この発明にあっては、キャビネット分体夫々の間に、キャビネット分体が表示部などの機器の一側面、他側面に接触しない箇所があったりする場合においても、キャビネット分体が前記機器側へ偏倚するのを規制部にて規制することができるため、前記接触しない箇所があることによって前記被係止部の係止が外れることがなく、連結体によるキャビネット分体の連結状態を維持することができる。
【００２１】
また、本発明に係るキャビネットは、前記キャビネット分体夫々の周縁は略矩形をなし、前記連結体は、前記キャビネット分体の少なくとも三辺と対向する位置に配される杆部材及び前記キャビネット分体夫々の角部と対向する位置に配される角部材を有する構成とするのが好ましい。
この発明にあっては、周縁が略矩形をなすキャビネット分体夫々の四辺と対向する位置に杆部材を配し、キャビネット分体夫々の角部と対向する位置に角部材を配することにより、キャビネット分体夫々の全周縁部を連結することができるため、キャビネット分体夫々の四角側での連結が行い易く、組立て作業性をより一層高めることができ、より一層のコスト低減を図ることができる。
【００２２】
また、本発明に係るキャビネットは、前記キャビネット分体夫々は、先端が突き合わされるように内方へ延出され、前記係止部が設けられている周壁部を有し、前記連結体は、前記周壁部夫々に嵌合され、前記杆部材における長さ方向と直交する断面形状が略Ｃ字形をなしている構成とするのが好ましい。
この発明にあっては、表示部などの機器の周縁外側にキャビネット分体夫々の周壁部及び連結体を配し、前記機器の周縁外側を２重構造にすることができるので、機器周縁部分の剛性を高めることができ、対衝撃性を高めることができる。
【００２３】
また、本発明に係る表示装置は、一側に表示面を有する表示部及び前述した発明のキャビネットを備えることを特徴とする。
この発明にあっては、キャビネット分体夫々の周縁に沿う方向に長く、該キャビネット分体夫々の周縁部に嵌合される連結体にてキャビネット分体夫々が連結されているため、一のキャビネット分体により形成される額縁部を狭幅にすることができ、キャビネットを小形化できるとともに、キャビネットを備える表示装置を小形化できる。また、結合用のボスをキャビネットに設けなくともよいので、キャビネットの品位を高めることができるとともに、成形されるキャビネットのコストを低減でき、ひいては品位が高く、コストを低減することができる表示装置を提供することができる。
【００２４】
また、本発明に係る表示装置は、前記キャビネット分体夫々の周縁部は、前記連結体により前記表示部の一側及び他側に夫々接合してある構成とするのが好ましい。
この発明にあっては、連結体がキャビネット分体夫々を連結することにより、表示部をキャビネット分体間に挾着することができるため、キャビネット分体及び表示部を簡易に一体化することができる。
【００２５】
また、本発明に係る表示装置は、前記他のキャビネット分体は、前記係止部又は被係止部よりも中央側で、周方向に離隔した位置に孔が開設され、該孔に嵌入される取付軸体により前記他のキャビネット分体が前記表示部の他側に取付けてある構成とするのが好ましい。
この発明にあっては、孔に嵌入される取付軸体にて他のキャビネット分体が表示部に固定された状態で、連結体にて一のキャビネット分体を連結することができるため、組立て作業性をより一層高めることができ、より一層のコスト低減を図ることができる。
【００２６】
また、本発明に係るテレビ受像装置は、テレビ放送信号を受信する受信部を備え、該受信部がテレビ放送信号を受信して前記表示面にテレビ画像を表示する前述した発明の表示装置を含むことを特徴とする。
この発明にあっては、テレビ放送信号を受信して表示面にテレビ画像を表示することができる。
【発明の効果】
【００２７】
本発明によれば、キャビネット分体夫々の周縁に沿う方向に長く、該キャビネット分体夫々の周縁部に嵌合される連結体にてキャビネット分体夫々が連結されているため、一のキャビネット分体により形成される額縁部を狭幅にすることができ、キャビネットを小形化できるとともに、キャビネットを備える表示装置、テレビ受像装置を小形化できる。また、キャビネット結合用のボスをキャビネットに設けなくともよいので、キャビネットの品位を高めることができるとともに、成形されるキャビネットのコストを低減できる。
【図面の簡単な説明】
【００２８】
【図１】テレビ受像装置の概略構成を示す分解斜視図である。
【図２】液晶表示装置の概略構成を示す分解斜視図である。
【図３】本発明に係るキャビネットを備える表示装置の構成を示す模式的分解斜視図である。
【図４】本発明に係るキャビネットの構成を示す模式的分解斜視図である。
【図５】本発明に係る表示装置の構成を示す一部を省略した縦断側面図である。
【図６】連結体がキャビネット分体に嵌合される箇所を拡大した部分断面図である。
【図７】両面テープの配置例を示す一部を省略した模式的正面図である。
【図８】両面テープの配置例を示す一部を省略した模式的背面図である。
【図９】他のキャビネット分体に開設される孔の配置例を示す一部を省略した模式的背面図である。
【図１０】本発明に係るキャビネットを備える表示装置の他の構成を示す一部を省略した縦断側面図である。
【図１１】本発明に係るキャビネットを備える表示装置の他の構成を示す一部を省略した縦断側面図である。
【図１２】本発明に係るキャビネットを備える表示装置の他の構成を示す一部を省略した縦断側面図である。
【図１３】連結体の一部を示す斜視図である。
【図１４】キャビネット分体と連結体との関係を示す模式的正面図である。
【図１５】両面テープの他の配置例を示す模式的正面図である。
【図１６】両面テープの他の配置例を示す模式的背面図である。
【図１７】他のキャビネット分体に開設される孔の他の配置例を示す模式的背面図である。
【図１８】従来の表示装置の表示部及びキャビネットの関係を示す一部を省略した断面図である。
【図１９】従来の表示装置の表示部及びキャビネットの関係を示す一部を省略した断面図である。
【発明を実施するための形態】
【００２９】
以下本発明をその実施の形態を示す図面に基づいて詳述する。説明は、本発明に係るキャビネットを備え、前側に表示面を有し、略直方体をなす表示部を備える薄型の表示装置を例として説明する。表示装置はバックライト部を含む液晶表示装置を搭載し、テレビ放送信号を受信する受信部を備え、該受信部がテレビ放送信号を受信してテレビ画像を前記表示面に表示するテレビ受像装置を含む。図１はテレビ受像装置の概略構成を示す分解斜視図、図２は液晶表示装置の概略構成を示す分解斜視図である。
【００３０】
テレビ受像装置は、液晶表示装置Ｂと、該液晶表示装置Ｂを挾むようにして収容する二つのキャビネット分体Ｃ，Ｄと、電源Ｅと、チューナＦと、スタンドＧとを備えて構成される。液晶表示装置Ｂは、全体として横長の方形（矩形状）をなし、縦置き状態でキャビネット分体Ｃ，Ｄ内に収容されている。この液晶表示装置Ｂは、図２に示すように、表示パネルである液晶パネルＨと、外部光源であるバックライト部Ｊとを備え、液晶パネルＨ及びバックライト部Ｊなどが枠状のベゼルなどにより一体的に保持され、パネルモジュール（表示部）を構成するようになっている。
【００３１】
実施の形態１
図３は本発明に係るキャビネットを備える表示装置の構成を示す模式的分解斜視図、図４は本発明に係るキャビネットの構成を示す模式的分解斜視図、図５は表示装置の構成を示す一部を省略した縦断側面図、図６は連結体がキャビネット分体に嵌合される箇所を拡大した部分断面図、図７は両面テープの配置例を示す一部を省略した模式的正面図、図８は両面テープの配置例を示す一部を省略した模式的背面図、図９は他のキャビネット分体に開設される孔の配置例を示す一部を省略した模式的背面図である。
【００３２】
この表示装置はテレビ画像を表示する表示面１ａを前側に有し、略直方体をなす表示部１と、該表示部１の周縁部前側を覆う一のキャビネット分体２と、表示部１の後側を覆う他のキャビネット分体３と、キャビネット分体２，３の周縁に沿う方向に長い杆形状をなし、キャビネット分体２，３の周縁部に嵌合されてキャビネット分体２，３を連結する連結体４と、表示部１の下側で、キャビネット分体２，３間に装着されているスピーカ５とを備え、キャビネット分体２，３及び連結体４がキャビネットＡを構成している薄型のテレビ受像装置である。
【００３３】
表示部１は、前面及び後面に偏光板が接合されている液晶の表示パネル１１と、該表示パネル１１の後側に配される複数の発光素子１２と、該発光素子１２が一面に実装された複数の発光素子基板１３と、該発光素子基板１３の一面に取付けられて発光素子１２の頂部と対向し、該発光素子１２が発光した光を拡散させる複数のレンズ１４と、該レンズ１４がその内部に配される孔を有し、前記一面に載置されてレンズ１４が拡散した光を反射させる反射シート１５と、表示パネル１１及びレンズ１４の間に配されている複数枚の光学シート１６と、該光学シート１６、表示パネル１１及び発光素子基板１３などを支持する支持体１７と、該支持体１７の後側に装着された電源回路基板等の複数の回路基板とを有し、表示パネル１１の四辺側に配された杆部材１８により厚さ方向に押付けられ、複数本の雄螺子にて支持体１７に保持されてパネルモジュールをなしている。
【００３４】
支持体１７は、金属板を略直方形に成形することにより全体が板状になっており、中央側の後面に前記回路基板が装着されている。支持体１７の四角部には取付孔１７ａが開設されている。
【００３５】
一のキャビネット分体２は、表示部１の周縁部前面、換言すると表示面１ａの周縁部及びスピーカ５の前部を覆う枠形をなし、外側周縁が表示部１の周縁とほぼ等しくなるように合成樹脂材にて周縁が略矩形となるように成形されている。キャビネット分体２の周縁部外側前面には周縁に沿う方向に長い環状凹部２１及び該環状凹部２１の幅方向中央が窪む環状の溝２２が設けられており、周縁部内側後面には両面テープ２３が貼着されている。キャビネット分体２の下部はスピーカ５の前部を覆い、該スピーカ５が装着されるため、上部、両側部に比べて広幅に形成されている。尚、環状の溝２２が係止部を構成している。
【００３６】
両面テープ２３は、図７に示すようにキャビネット分体２の四辺の側に、内周縁に沿って貼着されている。
【００３７】
他のキャビネット分体３は、前記回路基板が装着される中央側及びスピーカ５が装着される下側が後方へ窪み、周縁が略矩形の板状をなし、合成樹脂材にてキャビネット分体２に対応する大きさに成形されている。キャビネット分体３の周縁部後面には周縁に沿う方向に長い環状凹部３１及び該環状凹部３１の幅方向中央が窪む環状の溝３２が設けられている。キャビネット分体３の周縁部で、溝３２よりも中央側の四角部には取付孔１７ａに対応する孔３３が開設され、該孔３３及び取付孔１７ａに嵌入される取付軸体６によりキャビネット分体３が表示部１の支持体１７に結合されている。また、キャビネット分体３の周縁部前面の上辺の側及び両側辺の側には両面テープ３４が貼着されている。尚、環状の溝３２が係止部を構成している。
【００３８】
取付軸体６は、一端側の複数の周方向位置にスリット６１ａを有し、スリット６１ａの終端部が可撓の筒部材６１と、該筒部材６１内に嵌入されるピン部６２ａ及び該ピン部６２ａの一端に連なる鍔部６２ｂを有する軸部材６２とを備え、筒部材６１が孔３３及び取付孔１７ａに挿入された状態で、軸部材６２のピン部６２ａが筒部材６１内に嵌入されることにより該筒部材６１のスリット６１ａ側が拡径方向へ撓み、取付孔１７ａの縁部に筒部材６１の一端側が係止されるように構成されている。
【００３９】
連結体４は、表示部１及びキャビネット分体２，３の周縁と対向する基部４０及び該基部４０に連なり、キャビネット分体２の周縁部前面に対向する連結部４１及びキャビネット分体３の周縁部後面に対向する連結部４２を有し、キャビネット分体２，３の周縁部に嵌合される断面略コ字形をなし、可撓性を有する合成樹脂、ゴム等の可撓性材料にて杆形状に成形され、表示部１の全周長に対応する長さに切断されている。二つの連結部４１，４２の内面には、係止部としての溝２２，３２に対応する凸条部４３，４３が全長に亘って設けられている。
【００４０】
二つの連結部４１，４２は、図６に示すように先端側の対向間隔が狭くなるように若干傾倒しており、連結部４１，４２の内面がキャビネット分体２，３の周縁部に当接してキャビネット分体２，３に連結体４が嵌合される際、連結部４１，４２が図６破線に示すように外方へ撓み、撓みの復元力にてキャビネット分体２，３が表示部１の周縁部を挾着するように構成されている。尚、凸条部４３，４３が被係止部を構成している。
【００４１】
以上のように構成された表示装置の組立ては、縦姿勢に配される表示部１の前方からキャビネット分体２が両面テープ２３にて表示部１の周縁部前面に接合され、該キャビネット分体２の下部内側にスピーカ５が装着され、縦姿勢の表示部１の後方からキャビネット分体３が両面テープ３４にて表示部１の周縁部後面に接合される。また、キャビネット分体３の四角部に開設されている孔３３から表示部１の取付孔１７ａへ取付軸体６が嵌入され、該取付軸体６にて他のキャビネット分体３が表示部１の支持体１７に固定される。
【００４２】
縦姿勢の表示部１及びキャビネット分体２，３の周縁外方から連結体４が表示部１の周縁に向けて押圧され、連結部４１，４２がキャビネット分体２，３の周縁部に当接して外方へ撓みつつ凸条部４３，４３が溝２２，３２に嵌入係止され、連結体４をキャビネット分体２，３の周縁部に嵌合することができ、該連結体４にてキャビネット分体２，３の周縁部を連結することができる。この際、連結体４の連結部４１，４２の弾性復元力がキャビネット分体２，３から表示部１に加わり、該表示部１をキャビネット分体２，３の間に挾着することができる。
【００４３】
連結体４は両端が表示部１の下側に配され、両端間の隙間が視認され難いようになしてある。
【００４４】
以上のように組立てられた表示装置は、スタンドにて床面上に載置され縦姿勢の状態が維持されたり、壁掛け具にて壁部に掛止され縦姿勢の状態が維持される。
【００４５】
実施の形態２
図１０はキャビネットを備える表示装置の他の構成を示す一部を省略した縦断側面図である。この表示装置は、キャビネット分体２，３の表示部１周縁に臨む箇所に、表示部１の周縁に当接して該表示部１に対するキャビネット分体２の、表示面１ａに沿う方向の位置を決めるための位置決め凸部２４、及び表示部１に対するキャビネット分体３の、表示面１ａに沿う方向の位置を決めるための位置決め凸部３５をキャビネット分体３と一体に設けたものである。
【００４６】
位置決め凸部２４，３５はキャビネット分体２，３の上縁部及び下側に設けて表示部１に対するキャビネット分体２，３の上下位置を容易に決めることができるようになしてあるが、その他、キャビネット分体２，３の両側部に設けて表示部１に対するキャビネット分体２，３の横方向位置を容易に決めることができるようになしてもよいし、また、上縁部、下側及び両側部に設けて表示部１に対するキャビネット分体２，３の上下位置及び横方向位置を容易に決めることができるようになしてもよい。
【００４７】
この実施の形態にあっては、表示部１に対するキャビネット分体２，３の適正な位置が位置決め凸部２４，３５により決められているため、キャビネット分体２，３を簡易に表示部１に結合することができ、表示装置の組立て作業性を高めることができる。
その他の構成及び作用は実施の形態１と同様であるため、同様の部品については同じ符号を付し、その詳細な説明及び作用効果の説明を省略する。
【００４８】
実施の形態３
図１１はキャビネットを備える表示装置の他の構成を示す一部を省略した縦断側面図である。この表示装置は、断面略コ字形をなす連結体４の連結部４１，４２間に配されてキャビネット分体２，３の表示部１側への偏倚を規制するための規制部４４を一体に設けたものである。
【００４９】
キャビネット分体２，３の外側周縁が実施の形態１のように表示部１の周縁とほぼ等しくなるように形成されている場合（但しスピーカ装着側を除く）は、キャビネット分体２，３の周縁部が表示部１側へ偏倚することはないが、図１１に示すようにキャビネット分体２，３の外側周縁が表示部１の周縁よりも外側に配される大きさに形成されている場合、及び表示部１の下側にスピーカ５が装着されている場合にあっては、キャビネット分体２，３の周縁部が表示部１側へ偏倚する可能性があるため、この箇所に規制部４４を設けてキャビネット分体２，３の周縁部が表示部１側へ偏倚するのを規制部４４にて防ぐようになしてある。
【００５０】
規制部４４はキャビネット分体２，３の周縁に沿って帯状に形成されているが、その他、複数の周方向位置に設けてある構成としてもよい。
その他の構成及び作用は実施の形態１と同様であるため、同様の部品については同じ符号を付し、その詳細な説明及び作用効果の説明を省略する。
【００５１】
実施の形態４
図１２はキャビネットを備える表示装置の他の構成を示す一部を省略した縦断側面図、図１３は連結体の一部を示す斜視図、図１４はキャビネット分体と連結体との関係を示す模式的正面図である。この表示装置は、一つの連結体４がキャビネット分体２，３を連結する代わりに、周縁が略矩形をなすキャビネット分体２，３の四辺と対向する位置に配される杆部材４ａ及びキャビネット分体２，３の四角部と対向する位置に配される角部材４ｂがキャビネット分体２，３を連結する構成としたものである。
【００５２】
キャビネット分体２には、外側周縁から後方（内方）へ延出されて表示部１の周縁部と対向し、外側に環状の溝２５を有する周壁部２６を一体に設けてあり、キャビネット分体３には、外側周縁から前方（内方）へ延出されて表示部１の周縁部と対向し、外側に環状の溝３６を有する周壁部３７を一体に設けてあり、周壁部２６，３７の先端が突き合わされた状態で、長さ方向と直交する断面形状が略Ｃ字形をなす杆部材４ａ及び角部材４ｂが周壁部２６，３７に嵌合され、杆部材４ａ及び角部材４ｂによりキャビネット分体２，３を連結するようになしてある。
【００５３】
キャビネット分体３の上辺、両側辺の側には、表示部１の後面に接触する複数のリブ３８が周方向に離隔して一体に成形され、リブ３８以外の箇所は表示部１の後面に対して後方に窪んでいる。
【００５４】
周壁部２６，３７は、キャビネット分体２の後面が表示部１の前面に接触し、キャビネット分体３のリブ３８が表示部１の後面に接触した状態で先端同士が突き合わされるように形成されており、該周壁部２６，３７の先端部外側に溝２５，３６が形成されている。尚、溝２５，３６が係止部を構成している。
【００５５】
連結体は、周縁が略矩形をなすキャビネット分体２，３の四辺と対向する位置に配される四つの杆部材４ａと、キャビネット分体２，３の角部に沿って略Ｌ字形に湾曲し、キャビネット分体２，３の四角部と対向する位置に配される四つの角部材４ｂとを有し、合成樹脂材にて成形され、杆部材４ａの両端と角部材４ｂの両端との間に隙間が生じない程度で配されている。杆部材４ａ及び角部材４ｂの幅方向両側には内方へ突出する凸条部４５が設けられている。
【００５６】
この実施の形態にあっては、キャビネット分体２が両面テープ２３にて表示部１の周縁部前面に結合され、周壁部２６が表示部１の周縁部前側と対向する。キャビネット分体３は、リブ３８が表示部１の後面に接触し、周壁部３７が表示部１の周縁部後側と対向する。この状態で連結体における杆部材４ａの幅方向一方の凸条部４５が一方のキャビネット分体２（又は３）の溝２５（又は３６）に嵌入され、杆部材４ａを周壁部２６，３７に向けて押圧することにより杆部材４ａが若干撓みつつ幅方向他方の凸条部４５が他方のキャビネット分体３（又は２）の溝３６（又は２５）に嵌入され、杆部材４ａを周壁部２６，３７に嵌合することができ、該杆部材４ａにてキャビネット分体２，３を連結することができる。同様にして角部材４ｂがキャビネット分体２，３の周壁部２６，３７の四角部に嵌合され、キャビネット分体２，３を連結することができる。
その他の構成及び作用は実施の形態１と同様であるため、同様の部品については同じ符号を付し、その詳細な説明及び作用効果の説明を省略する。尚、杆部材４ａ及び角部材４ｂは可撓性を有する合成樹脂、ゴム等の可撓性材料にて形成されてもよい。
【００５７】
図１５は両面テープの他の配置例を示す模式的正面図、図１６は両面テープの他の配置例を示す模式的背面図、図１７は他のキャビネット分体に開設される孔の他の配置例を示す模式的背面図である。
【００５８】
キャビネット分体２の後面に貼着される両面テープ２３は、図１５に示すようにキャビネット分体２の四角部に設ける構成としてもよい。キャビネット分体３の前面に貼着される両面テープ３４は、図１６に示すようにキャビネット分体３の四角部に設ける構成としてもよい。キャビネット分体３に開設される孔３３は、図１７に示すようにキャビネット分体３の複数の周方向位置に開設される構成としてもよい。
【００５９】
尚、以上説明した実施の形態２乃至４は、実施の形態１乃至４のいずれかと組合わせる構成としてもよい。
【００６０】
また、以上説明した実施の形態では、係止部としての溝２２，３２及び２５，３６をキャビネット分体２，３に設け、被係止部としての凸条部４３，４５を連結体４、杆部材４ａ、角部材４ｂに設けたが、その他、溝２２，３２及び２５，３６を連結体４、杆部材４ａ、中間部材４ｂに設け、凸条部４３，４５をキャビネット分体２，３に設ける構成としてもよいし、また、キャビネット分体２，３の一方に溝、他方に凸条部を設け、連結体４、杆部材４ａ、角部材４ｂに凸条部及び溝を設ける構成としてもよい。
【００６１】
また、以上説明した実施の形態では、係止部が溝２２，３２，２５，３６であり、被係止部が凸条部４３，４５である構成としたが、その他、係止部及び被係止部の形状は特に制限されない。
【００６２】
また、以上説明した実施の形態では、連結体４の全体が可撓性材料にて成形されている構成としたが、その他、連結体４は周縁が略矩形をなすキャビネット分体２，３の角部と対向する箇所に可撓部を有し、他の箇所は非可撓である構成としてよい。
【００６３】
また、以上説明した実施の形態では、表示パネル１１の後方に直下方式のバックライト部を配してある表示部１を備える構成としたが、その他、表示パネル１１の後方にエッジライト方式のバックライト部を配してある表示部１を備える構成としてもよく、表示部１の構成は特に制限されない。
【００６４】
また、以上説明した実施の形態では、表示部１が液晶の表示パネル１１を有する表示装置（及びテレビ受像装置）としたが、その他、表示部１がプラズマの表示パネルを有する表示装置（及びテレビ受像装置）であってもよく、表示装置（及びテレビ受像装置）の構成は特に制限されない。
【符号の説明】
【００６５】
Ａ    キャビネット
１    表示部
２    一のキャビネット分体
２２，２５  溝（係止部）
２３  両面テープ
２４  位置決め凸部
２６  周壁部
３    他のキャビネット分体
３２，３６  溝（係止部）
３３  孔
３４  両面テープ
３５  位置決め凸部
３７  周壁部
４    連結体
４ａ  杆部材
４ｂ  角部材
４０  基部
４１，４２  連結部
４３，４５  凸条部（被係止部）
４４  規制部
６    取付軸体
【図１】
2012080461.tif 000003
【図２】
2012080461.tif 000004
【図３】
2012080461.tif 000005
【図４】
2012080461.tif 000006
【図５】
2012080461.tif 000007
【図６】
2012080461.tif 000008
【図７】
2012080461.tif 000009
【図８】
2012080461.tif 000010
【図９】
2012080461.tif 000011
【図１０】
2012080461.tif 000012
【図１１】
2012080461.tif 000013
【図１２】
2012080461.tif 000014
【図１３】
2012080461.tif 000015
【図１４】
2012080461.tif 000016
【図１５】
2012080461.tif 000017
【図１６】
2012080461.tif 000018
【図１７】
2012080461.tif 000019
【図１８】
2012080461.tif 000020
【図１９】
2012080461.tif 000021